(57)【要約】  【課題】  投射型映像表示装置において、光学素子の温度上昇を抑え、コントラストを確保する。  【解決手段】  映像表示素子の光の入射側、出射側の少なくともいずれかに配され、Ｒ、Ｇ、Ｂの各色光の偏光光のうち所定の偏光方向のものを通過させる偏光手段として、偏光素子を、立方晶構造を有する光透過性の基板例えば酸化マグネシウムを含み厚さが約０．４×１０−３ｍ〜１．５×１０−３ｍの基板上に配した構成とする。また、偏光手段と映像表示素子との間に、該映像表示素子に入射する偏光光または該映像表示素子から出射した偏光光の位相差を補償する視野角補償手段を設け、該視野角補償手段として、視野角補償フィルムを、立方晶構造を有する光透過性の基板例えば酸化マグネシウムを含む基板上に配したものを用いる。【選択図】  図３
2005250061.tif 000002
【特許請求の範囲】
【請求項１】
光源側からの光を映像表示素子に照射し映像信号に基づき変調して光学像を形成する投射型映像表示装置用の光学ユニットであって、
上記光源側からの光の偏光方向を揃え所定の偏光光を形成する偏光変換手段と、
上記偏光光からＲ、Ｇ、Ｂの各色光を分離する色分離手段と、
上記映像表示素子に対し光の入射側、出射側の少なくともいずれか一方に配され、立方晶構造を有する光透過性の基板上に偏光素子を有し、上記色分離手段側から入射されるＲ、Ｇ、Ｂの各色光の偏光光のうち所定の偏光方向のものを通過させる偏光手段と、
上記映像表示素子で形成されたＲ、Ｇ、Ｂの各色光の偏光光の光学像を色合成する色合成手段と、
上記色合成された光学像を拡大投射する投射レンズユニットと、
を備えたことを特徴とする光学ユニット。
【請求項２】
光源側からの光を映像表示素子に照射し映像信号に基づき変調して光学像を形成する投射型映像表示装置用の光学ユニットであって、
上記光源側からの光の偏光方向を揃え所定の偏光光を形成する偏光変換手段と、
上記偏光光からＲ、Ｇ、Ｂの各色光を分離する色分離手段と、
上記映像表示素子に対し光の入射側、出射側の少なくともいずれか一方に配され、酸化マグネシウムを含んで構成され厚さが約０．４×１０−３ｍから約１．５×１０−３ｍの範囲にある光透過性の基板上に偏光素子を有し、上記色分離手段側から入射されるＲ、Ｇ、Ｂの各色光の偏光光のうち所定の偏光方向のものを通過させる偏光手段と、
上記映像表示素子で形成されたＲ、Ｇ、Ｂの各色光の偏光光の光学像を色合成する色合成手段と、
上記色合成された光学像を拡大投射する投射レンズユニットと、
を備えたことを特徴とする光学ユニット。
【請求項３】
光源側からの光を映像表示素子に照射し映像信号に基づき変調して光学像を形成する投射型映像表示装置用の光学ユニットであって、
上記光源側からの光の偏光方向を揃え所定の偏光光を形成する偏光変換手段と、
上記映像表示素子に対し光の入射側、出射側の少なくともいずれか一方に配され、上記偏光変換手段側から入射されるＲ、Ｇ、Ｂの各色光の偏光光のうち所定の偏光方向のものを通過させる偏光手段と、
上記偏光手段と上記映像表示素子との間に配され、立方晶構造を有する光透過性の基板上に視野角補償フィルムを有し、該映像表示素子に入射する偏光光または該映像表示素子から出射した偏光光の位相差を補償する視野角補償手段と、
を備えたことを特徴とする光学ユニット。
【請求項４】
光源側からの光を映像表示素子に照射し映像信号に基づき変調して光学像を形成する投射型映像表示装置用の光学ユニットであって、
上記光源側からの光の偏光方向を揃え所定の偏光光を形成する偏光変換手段と、
上記映像表示素子に対し光の入射側、出射側の少なくともいずれか一方に配され、上記偏光変換手段側から入射されるＲ、Ｇ、Ｂの各色光の偏光光のうち所定の偏光方向のものを通過させる偏光手段と、
上記偏光手段と上記映像表示素子との間に配され、酸化マグネシウムを含んで構成される光透過性の基板上に視野角補償フィルムを有し、該映像表示素子に入射する偏光光または該映像表示素子から出射した偏光光の位相差を補償する視野角補償手段と、
を備えたことを特徴とする光学ユニット。
【請求項５】
光源側からの光を映像表示素子に照射し映像信号に基づき変調して光学像を形成する投射型映像表示装置用の光学ユニットであって、
上記光源側からの光の偏光方向を揃え所定の偏光光を形成する偏光変換手段と、
上記偏光光からＲ、Ｇ、Ｂの各色光を分離する色分離手段と、
上記映像表示素子に対し光の入射側、出射側の少なくともいずれか一方に配され、立方晶構造を有する光透過性の基板上に偏光素子を有し、上記色分離手段側から入射されるＲ、Ｇ、Ｂの各色光の偏光光のうち所定の偏光方向のものを通過させる偏光手段と、
上記偏光手段と上記映像表示素子との間に配され、立方晶構造を有する光透過性の基板上に視野角補償フィルムを有し、該映像表示素子に入射する偏光光または該映像表示素子から出射した偏光光の位相差を補償する視野角補償手段と、
上記映像表示素子で形成されたＲ、Ｇ、Ｂの各色光の偏光光の光学像を色合成する色合成手段と、
上記色合成された光学像を拡大投射する投射レンズユニットと、
を備えたことを特徴とする光学ユニット。
【請求項６】
光源側からの光を映像表示素子に照射し映像信号に基づき変調して光学像を形成する投射型映像表示装置用の光学ユニットであって、
上記光源側からの光の偏光方向を揃え所定の偏光光を形成する偏光変換手段と、
上記偏光光からＲ、Ｇ、Ｂの各色光を分離する色分離手段と、
上記映像表示素子に対し光の入射側、出射側の少なくともいずれか一方に配され、酸化マグネシウムを含んで構成され厚さが約０．４×１０−３ｍから約１．５×１０−３ｍの範囲にある光透過性の基板上に偏光素子を有し、上記色分離手段側から入射されるＲ、Ｇ、Ｂの各色光の偏光光のうち所定の偏光方向のものを通過させる偏光手段と、
上記偏光手段と上記映像表示素子との間に配され、酸化マグネシウムを含んで構成される光透過性の基板上に視野角補償フィルムを有し、該映像表示素子に入射する偏光光または該映像表示素子から出射した偏光光の位相差を補償する視野角補償手段と、
上記映像表示素子で形成されたＲ、Ｇ、Ｂの各色光の偏光光の光学像を色合成する色合成手段と、
上記色合成された光学像を拡大投射する投射レンズユニットと、
を備えたことを特徴とする光学ユニット。
【請求項７】
上記視野角補償手段の上記基板は、厚さが約０．４×１０−３ｍから約１．５×１０−３ｍの範囲とされる請求項３から６のいずれかに記載の光学ユニット。
【請求項８】
上記視野角補償手段は、上記視野角補償フィルムの光学軸の、上記映像表示素子のラビング方向に対するずれが、約±１°の範囲内とされる請求項項３から６のいずれかに記載の光学ユニット。
【請求項９】
上記視野角補償手段は、その基板の取付け状態が変えられることにより、上記視野角補償フィルムの光学軸の、上記映像表示素子のラビング方向に対するずれが所定値となるように調整される請求項項３から６のいずれかに記載の光学ユニット。
【請求項１０】
上記視野角補償手段は、２個配され、上記映像表示素子の光入射側と光出射側に１個ずつ、または、該光出射側に２個配される構成である請求項３から６のいずれかに記載の光学ユニット。
【請求項１１】
上記視野角補償手段は、上記偏光手段及び上記映像表示素子との間に空気を流動させるための空隙を介して配される請求項３から６のいずれかに記載の光学ユニット。
【請求項１２】
光源側からの光を映像表示素子に照射し映像信号に基づき変調して光学像を形成する投射型映像表示装置であって、
請求項１から１１のいずれかに記載の光学ユニットと、
映像信号に基づき上記光学ユニット中の上記映像表示素子を駆動する駆動回路と、
を備えた構成を特徴とする投射型映像表示装置。
【請求項１３】
投射型映像表示装置用の光学素子であって、
立方晶構造を有する光透過性の基板と、
上記基板上に配される偏光子と、
を備えて成り、所定の偏光方向の光を通過させることを特徴とする光学素子。
【請求項１４】
投射型映像表示装置用の光学素子であって、
酸化マグネシウムを含んで構成され厚さが約０．４×１０−３ｍから約１．５×１０−３ｍの範囲の光透過性の基板と、
上記基板上に配される偏光子と、
を備えて成り、所定の偏光方向の光を通過させることを特徴とする光学素子。
【請求項１５】
投射型映像表示装置用の光学素子であって、
立方晶構造を有する光透過性の基板と、
上記基板上に配される視野角補償フィルムと、
を備えて成り、通過する光の位相差を補償することを特徴とする光学素子。
【請求項１６】
投射型映像表示装置用の光学素子であって、
酸化マグネシウムを含んで成る光透過性の基板と、
上記基板上に配される視野角補償フィルムと、
を備えて成り、通過する光の位相差を補償することを特徴とする光学素子。
【発明の詳細な説明】
【技術分野】
【０００１】
本発明は、投射型映像表示技術に係り、特に、映像のコントラストを確保するための技術に関する。
【背景技術】
【０００２】
本発明に関連した従来技術としては、例えば、特開２００２−１８２２１３号公報（特許文献１）に記載されたものがある。該公報には、投射型液晶表示装置において、黒レベルの表示を改善し、コントラストを向上させるために、液晶表示素子の両側に、偏光板と、該液晶表示素子の液晶分子によって生じる光学的位相差を補償する光学補償素子とを設け、該光学補償素子により、該液晶表示素子への入射光の光軸に直交する面内における位相調節を行い、該光学補償素子の光学軸と該液晶表示素子のラビング方向とを一致させるとした構成が記載されている。
【０００３】
【特許文献１】特開２００２−１８２２１３号公報
【発明の開示】
【発明が解決しようとする課題】
【０００４】
上記従来の技術では、上記偏光板や上記光学補償素子の冷却については配慮がなされていない。
本発明の課題点は、上記従来技術の状況に鑑み、投射型映像表示装置において、コントラストの確保と併せ、偏光手段（偏光板）や視野角補償手段などの光学素子の温度上昇を抑えられるようにすることである。
本発明の目的は、かかる課題点を解決し、高信頼性と映像の高画質性とを実現可能な投射型映像表示技術を提供することにある。
【課題を解決するための手段】
【０００５】
上記課題点を解決するために、本発明では、映像表示素子の光の入射側、出射側の少なくともいずれかに配され、Ｒ、Ｇ、Ｂの各色光の偏光光のうち所定の偏光方向のものを通過させる偏光手段として、偏光素子が、立方晶構造を有する光透過性の基板上、例えば酸化マグネシウムを含み厚さが約０．４×１０−３ｍから約１．５×１０−３ｍの光透過性の基板上に配される構成とする。また、偏光手段と映像表示素子との間に、該映像表示素子に入射する偏光光または該映像表示素子から出射した偏光光の位相差を補償する視野角補償手段を設け、該視野角補償手段としては、視野角補償フィルムが、立方晶構造を有する光透過性の基板上、例えば酸化マグネシウムを含む光透過性の基板上に配された構成とする。該立方晶構造を有する光透過性の基板すなわち酸化マグネシウム等の光透過性の基板は、その放熱性により、上記偏光手段や上記視野角補償手段の温度上昇を抑え、かつ、映像の所定レベルのコントラストを確保する。
【発明の効果】
【０００６】
本発明によれば、投射型映像表示装置において、光学素子の温度上昇を抑え、かつ、高いコントラストを確保することができる。
【発明を実施するための最良の形態】
【０００７】
以下、本発明を実施するための最良の形態につき、図面を用いて説明する。
図１〜図７は、本発明の実施形態の説明図である。図１〜図３は、第１の実施形態の説明図、図４〜図７は、第２の実施形態の説明図である。図１は、偏光手段の構成例図、図２は、図１の偏光手段を用いた投射型映像表示装置の構成例図、図３は、偏光手段の基板厚に対するコントラスト、温度の関係を示す特性例図、図４は、偏光手段と視野角補償手段の第１の組合わせ構成例を示す図、図５は、視野角補償手段の視野角補償フィルムの光学軸のずれ量に対するコントラストの関係を示す特性例図、図６は、偏光手段と視野角補償手段の第２の組合わせ構成例を示す図、図７は、偏光手段と視野角補償手段の第３の組合わせ構成例を示す図である。
【０００８】
図１において、４は、偏光手段としての入射側偏光板、５は、同じく偏光手段としての出射側偏光板、４ａは、色光の偏光光のうち所定の偏光方向のものを通過させる入射側偏光板４の偏光素子としての偏光フィルム、４ｂは、入射側偏光板４の基板であって、立方晶構造を有する光透過性の基板として、酸化マグネシウムを含む材料で構成され偏光フィルム４ａを保持する基板（以下、酸化マグネシウム基板という）、５ａは、色光の偏光光のうち所定の偏光方向のものを通過させる出射側偏光板５の偏光素子としての偏光フィルム、５ｂは出射側偏光板５の基板であって、立方晶構造を有する光透過性の基板として、酸化マグネシウムを含む材料で構成され偏光フィルム５ａを保持する基板（以下、酸化マグネシウム基板という）、２０は、映像表示素子としての液晶パネル、２１は、偏光変換され、かつ色分離された赤（Ｒ）、緑（Ｇ）、青（Ｂ）いずれかの色光の入射偏光光である。また、Ｘ−Ｘ'は、入射光２１の直線偏光の偏光方向である。入射側偏光板４、出射側偏光板５とも、偏光フィルム４ａ、５ａを、酸化マグネシウム基板４ｂ、５ｂに対し液晶パネル２０側に配する。偏光フィルム４ａと偏光フィルム５ａは互いに、光の透過軸が約９０°ずれるようにしてある。入射側偏光板４と液晶パネル２０、該液晶パネル２０と出射側偏光板５は、相互に所定の空隙を隔てて配される。
【０００９】
上記構成において、色光のＰ偏光光またはＳ偏光光の入射偏光光２１は、入射側偏光板４の酸化マグネシウム基板４ｂを通過し、偏光フィルム４ａに入射する。偏光フィルム４ａは、偏光光のうち所定の偏光方向のものを通過させる。偏光フィルム４ａを通過した偏光光は、液晶パネル２０に照射される。液晶パネル２０では該照射された偏光光は映像信号に基づき光変調される。該光変調された色光の偏光光は、出射側偏光板５の偏光フィルム５ａに入射される。偏光フィルム５ａでは、偏光光のうち所定の偏光方向のものを通過させる。偏光フィルム５ａを通過した偏光光はさらに、酸化マグネシウム基板５ｂを通過して光学系の次段側に出射される。偏光フィルム４ａはＸ−Ｘ'方向を透過軸とし、偏光フィルム５ａはＸ−Ｘ'方向に直角な方向を透過軸としている。
【００１０】
酸化マグネシウム基板４ｂ、５ｂはそれぞれ、立方晶構造を有するため、複屈折もなく、直線偏光の楕円偏光への変化もない。このため、偏光フィルム４ａ、５ａでの光の吸収や損失も少なく、明るくコントラストの高い映像が得られる。また、酸化マグネシウム基板４ｂ、５ｂはそれぞれ、上記立方晶構造であるため、偏光フィルム４ａ、５ａの透過軸（吸収軸）の方向に対しても方向性はなく、このため、該偏光フィルム４ａ、５ａの透過軸（吸収軸）に対する方向合わせは不要となる。また、該酸化マグネシウム基板４ｂ、５ｂは、その熱伝導性により、該酸化マグネシウム基板４ｂ、５ｂ自身内及び偏光フィルム４ａ、５ａ内に発生した熱を放熱し、入射側偏光板４及び出射側偏光板５としての温度上昇を抑える。酸化マグネシウムの熱伝導率は約５５Ｗ／ｍ・ｋであり、サファイアの熱伝導率（約４２Ｗ／ｍ・ｋ）よりも高い。酸化マグネシウム基板４ｂ、５ｂは、板厚（基板厚）が厚いほど放熱量が多い。本実施形態においては、該酸化マグネシウム基板４ｂ、５ｂの板厚は、約０．４×１０−３ｍ〜１．５×１０−３ｍの範囲としてある。
【００１１】
図２は、上記図１の偏光板を用いて成る投射型映像表示装置の構成例である。
図２において、１は光源ユニット、６は、複数の微小なレンズセルより成り複数の２次光源像を形成する第１のアレイレンズ、７は、同じく複数の微小なレンズセルより成り上記第１のアレイレンズの個々のレンズ像を結像する第２のアレイレンズ、８は、偏光ビームスプリッタ（図示なし）と１／２波長位相差板（図示なし）から構成され、上記第２のアレイレンズ７側からの光をＰ偏光光とＳ偏光光とに分離した後、該両偏光光のうち一方の偏光方向を回転してＰ、Ｓいずれかの偏光光に揃え、該偏光光を出射する偏光変換手段としての偏光変換素子、９は集光レンズ、１２、１３は、色分離用の色分離手段としてのダイクロイックミラー、１０Ｒ、１０Ｇ、１０Ｂはコンデンサレンズ、１４、１５、１６は反射ミラー、１７、１８はリレーレンズ、２０Ｒ、２０Ｇ、２０Ｂは映像表示素子としての透過型液晶パネル、４Ｒは液晶パネル２０Ｒの偏光手段としての入射側偏光板、５Ｒは液晶パネル２０Ｒの偏光手段としての出射側偏光板、４Ｇは液晶パネル２０Ｇの偏光手段としての入射側偏光板、５Ｇは液晶パネル２０Ｇの偏光手段としての出射側偏光板、４Ｂは液晶パネル２０Ｂの偏光手段としての入射側偏光板、５Ｇは液晶パネル２０Ｇの偏光手段としての出射側偏光板、１１は色合成用の色合成手段としてのダイクロイックプリズム、３は、映像光を拡大投射するための投射レンズユニット、１９はスクリーン、２６は冷却用ファン、２７は冷却用空気の流路である。入射側偏光板４Ｒ、４Ｇ、４Ｂ及び出射側偏光板５Ｒ、５Ｇ、５Ｂはそれぞれ、上記図１に示した構成を備えているものとする。液晶パネル２０Ｒ、２０Ｇ、２０Ｂはそれぞれ、映像信号に基づき駆動回路（図示なし）により駆動され、入射された偏光光を変調して出射する。また、リレ−レンズ１７、１８は、液晶パネル２０Ｂの、光源ユニット１からの光路長が、液晶パネル２０Ｒ、２０Ｇの場合に比べて長いことを補うために設けられる。光源ユニット１から投射レンズユニット３までの上記諸要素は、投射型映像表示装置における光学ユニットを構成している。
【００１２】
かかる構成において、上記光源ユニット１から出た光（白色光）は、上記第１のアレイレンズ６で複数の２次光源像を形成した後、上記第２のアレイレンズ７で該複数の２次光源像を結像し、該結像光が、上記偏光変換素子８内で、偏光ビームスプリッタ（図示なし）でＰ偏光光とＳ偏光光とに分離され、１／２波長位相差板（図示なし）により、例えば該Ｐ偏光光が偏光方向を回転されてＳ偏光光とされ、上記偏光ビームスプリッタで分離されたＳ偏光光と併せ、集光レンズ９に入射される。集光レンズ９で集光された白色光のＳ偏光光は、ダイクロイックミラー１２に約４５°の入射角で入射する。ダイクロイックミラー１２では、Ｒ光のＳ偏光光は反射され、Ｇ光及びＢ光のＳ偏光光は透過される。
【００１３】
上記反射されたＲ光のＳ偏光光は反射ミラー１４で反射されて光路変更し、コンデンサレンズ１０Ｒを介してＲ光用の透過型液晶パネル２０Ｒの入射側偏光板４Ｒに入射される。該Ｒ光のＳ偏光光は、該入射側偏光板４Ｒにおいて該入射側偏光板４Ｒの透過軸方向のものが透過されることで偏光方向を揃えられ、Ｒ光用の透過型液晶パネル２０Ｒに照射される。該液晶パネル２０Ｒでは、該Ｒ光のＳ偏光光が透過時に映像信号に基づいて変調され、Ｒ光のＰ偏光光となって出射される。液晶パネル２０Ｒから出射されたＲ光のＰ偏光光は、出射側偏光板５Ｒに入射され、該出射側偏光板５Ｒにおいて該出射側偏光板５Ｒの透過軸方向のものが透過されることで偏光方向を揃えられ、ダイクロイックプリズム１１に入射される。ダイクロイックプリズム１１では、そのダイクロイック面で反射され、投射レンズユニット３に入る。
【００１４】
一方、ダイクロイックミラー１２を透過したＧ光及びＢ光のＳ偏光光は、さらに、ダイクロイックミラー１３に約４５°の入射角で入射し、該ダイクロイックミラー１３で、Ｇ光のＳ偏光光は反射され、Ｂ光のＳ偏光光は透過される。反射されたＧ光のＳ偏光光は、コンデンサレンズ１０Ｇを介してＧ光用の透過型液晶パネル２０Ｇの入射側偏光板４Ｇに入射される。
【００１５】
該Ｇ光のＳ偏光光は、該入射側偏光板４Ｇにおいて該入射側偏光板４Ｇの透過軸方向のものが透過されることで偏光方向を揃えられ、Ｇ光用の透過型液晶パネル２０Ｇに照射される。該液晶パネル２０Ｇでは、該Ｇ光のＳ偏光光が透過時に映像信号に基づいて変調され、Ｇ光のＰ偏光光となって出射される。液晶パネル２０Ｇから出射されたＧ光のＰ偏光光は、出射側偏光板５Ｇに入射され、該出射側偏光板５Ｇにおいて該出射側偏光板５Ｇの透過軸方向のものが透過されることで偏光方向を揃えられ、ダイクロイックプリズム１１に入射される。該Ｇ光のＰ偏光光は、ダイクロイックプリズム１１内においてダイクロイック面で反射され、投射レンズユニット３に入る。
【００１６】
また、上記ダイクロイックミラー１３を透過したＢ光のＳ偏光光は、リレーレンズ１７を経て反射ミラー１５で反射され、さらにリレーレンズ１８を経て反射ミラー１６で反射され、コンデンサレンズ１０Ｂを介してＢ光用の透過型液晶パネル２０Ｂの入射側偏光板４Ｂに入射される。該Ｂ光のＳ偏光光は、該入射側偏光板４Ｂにおいても該入射側偏光板４Ｂの透過軸方向のものが透過されることで偏光方向を揃えられ、Ｂ光用の透過型液晶パネル２０Ｂに照射される。該液晶パネル２０Ｂでは、該Ｂ光のＳ偏光光が透過時に映像信号に基づいて変調され、Ｂ光のＰ偏光光となって出射される。液晶パネル２０Ｂから出射されたＢ光のＰ偏光光は、出射側偏光板５Ｂに入射され、該出射側偏光板５Ｂにおいて該出射側偏光板５Ｇの透過軸方向のものが透過されることで偏光方向を揃えられ、ダイクロイックプリズム１１に入射される。ダイクロイックプリズム１１内において該Ｂ光のＰ偏光光はダイクロイック面で反射され、投射レンズユニット３に入る。
すなわち、上記のように、ダイクロイックプリズム１１からは、映像信号により変調されたＲ光のＰ偏光光と、Ｇ光のＰ偏光光と、Ｂ光のＰ偏光光とが互いに色合成された状態で出射され、白色光のＰ偏光光として投射レンズユニット３に入り、該投射レンズユニット３によりスクリーン１９上に映像光として拡大投射される。
【００１７】
上記構成において、各入射側偏光板４Ｒ、４Ｇ、４Ｂ及び各出射側偏光板５Ｒ、５Ｇ、５Ｂでは、それぞれの偏光フィルムの透過軸を通過できない光は、該それぞれの偏光フィルムに吸収されて熱に変り、それぞれの偏光フィルムの温度を上昇させる。酸化マグネシウム基板は、その放熱特性（熱伝導性）により該偏光フィルムの熱を放熱し、該偏光フィルムと偏光板全体の温度上昇を抑える。冷却用ファン２６は、冷却用ダクト（図示なし）等により流路２７を形成し、各入射側偏光板４Ｒ、４Ｇ、４Ｂ、各出射側偏光板５Ｒ、５Ｇ、５Ｂ、各液晶パネル２０Ｒ、２０Ｇ、２０Ｂ等に送風する。冷却用空気は、各入射側偏光板４Ｒ、４Ｇ、４Ｂと各液晶パネル２０Ｒ、２０Ｇ、２０Ｂとの間の空隙部や、各出射側偏光板５Ｒ、５Ｇ、５Ｂと各液晶パネル２０Ｒ、２０Ｇ、２０Ｂとの間の空隙部などを流動し、これらを冷却する。各入射側偏光板４Ｒ、４Ｇ、４Ｂ及び各出射側偏光板５Ｒ、５Ｇ、５Ｂでは、各酸化マグネシウム基板から該冷却用空気に放熱され、上記空気の流動により放熱効果が高められる。
【００１８】
なお、上記構成例では偏光変換素子８からは、偏光変換の結果、Ｓ偏光光が出射されるようにしたが、これに限らず、Ｐ偏光光が出射されるようにしてもよい。この場合は、Ｒ、Ｇ、Ｂ各色光のＰ偏光光がそれぞれ、各入射側偏光板４Ｒ、４Ｇ、４Ｂを透過し、対応する液晶パネル２０Ｒ、２０Ｇ、２０Ｂに照射され、該液晶パネル２０Ｒ、２０Ｇ、２０Ｂにおいて、透過時に映像信号に基づいて変調され、Ｒ、Ｇ、Ｂ各色光のＳ偏光光となって出射され、ダイクロイックプリズム１１で色合成される。
【００１９】
また、上記図１、図２の構成例では、偏光手段として、１個の液晶パネルの入射側に、偏光フィルムを酸化マグネシウム基板の片面に設けた入射側偏光板１個を配し、出射側に、偏光フィルムを酸化マグネシウム基板の片面に設けた出射側偏光板１個を配する構成としたが、これに限らず、例えば、液晶パネルの出射側に、偏光フィルムを１個の酸化マグネシウム基板の両側に設けた出射側偏光板１個を配する構成としてもよいし、または、偏光フィルムを酸化マグネシウム基板の片面に設けた出射側偏光板２個を該液晶パネルの出射側に配する構成としてもよい。
【００２０】
図３は、偏光板の酸化マグネシウム基板の基板厚に対するコントラスト及び偏光板温度の特性のシミュレーション結果例である。酸化マグネシウム基板は立方晶構造を有するため、通常では複屈折は発生しないが、結晶成長のばらつきによって亜流界が生じた場合や、加工時に応力が加わった場合などには位相差が生じて複屈折が発生することがある。本発明はこれに対応するものである。上記位相差が生じた試料を測定したところ、約０．５×１０−９〜１．０×１０−９ｍの位相差が生じていることが判明した。そこで、基板厚１×１０−３ｍ当りの偏光むら（位相差）を１×１０−９ｍとしてコントラストのシミュレーションを行った。
【００２１】
図３において、酸化マグネシウム基板の板厚の増加につれて偏光むらが増大するため、コントラストは減少する。コントラストの初期値を５００：１とし、その約９０％である４６０：１以上のコントラスト値を満たす酸化マグネシウム基板の板厚範囲は、約２×１０−３ｍ以下、初期値の約９６％である４８０：１以上のコントラスト値を満たす酸化マグネシウム基板の板厚範囲は、約１．５×１０−３ｍ以下である。また、酸化マグネシウム基板の板厚の増加につれ該酸化マグネシウム基板の放熱量が増えるため、偏光板の温度は下がる。偏光板の温度を７５℃以下にする酸化マグネシウム基板の板厚範囲は約０．３×１０−３ｍ以上、偏光板の温度を７０℃以下にする酸化マグネシウム基板の板厚範囲は約０．４×１０−３ｍ以上である。従って、コントラスト４６０：１以上で、偏光板の温度を７５℃以下にする酸化マグネシウム基板の板厚範囲は、約０．３×１０−３ｍ〜約２．０×１０−３ｍ、コントラスト４８０：１以上で、偏光板の温度を７０℃以下にする酸化マグネシウム基板の板厚範囲は、約０．４×１０−３ｍ〜約１．５×１０−３ｍである。
【００２２】
上記本発明の第１の実施形態によれば、コントラストの確保と併せ、偏光手段（偏光板）の温度上昇を抑えられる。特に、入射側偏光板４、出射側偏光板５はそれぞれ、酸化マグネシウム基板４ｂ、５ｂを用いているため、該酸化マグネシウム基板４ｂ、５ｂの、偏光フィルム４ａ、５ａの透過軸（吸収軸）に対する方向合わせが不要となり、各偏光板の製作作業性を大幅に改善することができ、コスト低減も可能となる。
【００２３】
図４〜図７は、第２の実施形態の説明図である。本第２の実施形態では、映像表示素子と偏光手段との間にさらに、光の位相差を補償するための視野角補償手段を設ける。以下、図４〜図７において、上記図１〜図２の場合と同じ構成要素には、図１〜図２と同じ符号を付す。
【００２４】
図４は、偏光手段と視野角補償手段の第１の組合わせ構成例を示す図である。本例では、２個の視野角補償手段を映像表示素子の出射側に配する。
図４において、５０は、視野角補償手段としての第１の視野角補償板、５０ａは、光を透過させることで光の位相差を補償するための視野角補償フィルム、５０ｂは、第１の視野角補償板５０の基板であって、立方晶構造を有する光透過性の基板として、酸化マグネシウムを含んで構成され視野角補償フィルム５０ａを保持する基板（以下、酸化マグネシウム基板という）、６０は、視野角補償手段としての第２の視野角補償板、６０ａは、光を透過させることで光の位相差を補償するための視野角補償フィルム、６０ｂは、第２の視野角補償板６０の基板であって、立方晶構造を有する光透過性の基板として、酸化マグネシウムを含んで構成され視野角補償フィルム６０ａを保持する基板（以下、酸化マグネシウム基板という）である。視野角補償フィルム５０ａ、６０ａは互いにその光学軸が略直交するようにしてあり、少なくとも該両光学軸のうちの一方は、液晶パネル２０のラビング方向に対するずれが、約±１°の範囲内となるようにしてある。上記視野角補償板５０または視野角補償板６０は、その基板５０ｂまたは基板６０ｂの取付け状態を変えることで、上記視野角補償フィルム５０ａの光学軸または上記視野角補償フィルム６０ａの光学軸の、上記液晶パネル２０のラビング方向に対するずれが所定値となるように調整される。第１の視野角補償板５０、第２の視野角補償板６０ともそれぞれ、視野角補償フィルム５０ａ、６０ａを、酸化マグネシウム基板５０ｂ、６０ｂに対し液晶パネル２０側に配する。偏光手段としての入射側偏光板４、出射側偏光板５もそれぞれ、偏光フィルム４ａ、５ａを、酸化マグネシウム基板４ｂ、５ｂに対し液晶パネル２０側に配する。偏光フィルム４ａと偏光フィルム５ａは互いに、光の透過軸が約９０°ずれるようにしてある。入射側偏光板４と液晶パネル２０、該液晶パネル２０と第１の視野角補償板５０、該第１の視野角補償板５０と第２の視野角補償板６０、該第２の視野角補償板６０と出射側偏光板５は、相互に所定の空隙を隔てて配される。
【００２５】
上記構成において、Ｐ偏光光またはＳ偏光光の入射偏光光２１は、入射側偏光板４の酸化マグネシウム基板４ｂを通過し、偏光フィルム４ａに入射する。偏光フィルム４ａは、色光の偏光光のうち所定の偏光方向のものを通過させる。偏光フィルム４ａからの偏光光は、液晶パネル２０に照射される。液晶パネル２０では、該照射された偏光光が映像信号に基づき光変調する。該光変調された偏光光は、第１の視野角補償板５０に入射し、視野角補償フィルム５０ａで光の位相差を補償された後、酸化マグネシウム基板５０ｂを通過する。第１の視野角補償板５０で位相差を補償された偏光光はさらに、第２の視野角補償板６０に入射する。該第２の視野角補償板６０でも、偏光光は、視野角補償フィルム６０ａで光の位相差を補償された後、酸化マグネシウム基板６０ｂを通過する。第２の視野角補償板６０で位相差を補償された偏光光は、次段の出射側偏光板５に入射される。出射側偏光板５では、偏光フィルム５ａが偏光光のうちの所定の偏光方向のものを通過させ、さらに、酸化マグネシウム基板５ｂを通過させる。偏光フィルム４ａはＸ−Ｘ'方向を透過軸とし、偏光フィルム５ａはＸ−Ｘ'方向に直角な方向を透過軸としている。
【００２６】
酸化マグネシウム基板４ｂ、５ｂ、５０ｂ、６０ｂではそれぞれ立方晶構造を有するため、複屈折もなく、直線偏光の楕円偏光への変化もない。このため、偏光フィルム４ａ、５ａ及び視野角補償フィルム５０ａ、６０ａでの光の吸収や損失も少なく、明るくコントラストの高い映像が得られる。特に、視野角補償フィルム５０ａ、６０ａは、光の位相差を補償することにより映像のコントラストレベルを大幅に向上させる。また、酸化マグネシウム基板４ｂ、５ｂ、５０ｂ、６０ｂはそれぞれ、上記立方晶構造であるため、偏光フィルム４ａ、５ａ及び視野角補償フィルム５０ａ、６０ａの透過軸（吸収軸）の方向に対しても方向性はなく、このため、該偏光フィルム４ａ、５ａ及び該視野角補償フィルム５０ａ、６０ａの透過軸（吸収軸）に対する方向合わせは不要となる。また、該酸化マグネシウム基板４ｂ、５ｂ、５０ｂ、６０ｂは、その熱伝導性により、該酸化マグネシウム基板４ｂ、５ｂ、５０ｂ、６０ｂ自身内及び偏光フィルム４ａ、５ａ及び視野角補償フィルム５０ａ、６０ａ内に発生した熱を放熱し、入射側偏光板４、出射側偏光板５、第１の視野角補償板５０及び第２の視野角補償板６０としての温度上昇を抑える。酸化マグネシウム基板４ｂ、５ｂ、５０ｂ、６０ｂはそれぞれ、板厚（基板厚）が厚いほど放熱量が多い。本実施形態においては、該酸化マグネシウム基板４ｂ、５ｂ、５０ｂ、６０ｂの板厚はそれぞれ、上記図３に示す特性に基づき、約０．４×１０−３ｍ〜１．５×１０−３ｍの範囲とし、入射側偏光板４、出射側偏光板５、第１の視野角補償板５０及び第２の視野角補償板６０のそれぞれの温度上昇を抑え、かつコントラストを確保できるようにしてある。
【００２７】
図５は、上記図４の構成における視野角補償板の視野角補償フィルムの光学軸の液晶パネル２０のラビング方向に対するずれ量と、コントラストとの関係のシミュレーション結果例を示す図である。横軸に視野角補償フィルムの光学軸の調整角度、縦軸にコントラストをとってある。本シミュレーションでは、視野角補償フィルムの光学軸が液晶パネル２０のラビング方向に対し予め１°ずれており、かつ、立方晶構造を有する光透過性の基板としての酸化マグネシウム基板４ｂ、５ｂ、５０ｂ、６０ｂはそれぞれ、板厚（基板厚）が約０．５×１０−３ｍ〜０．７×１０−３ｍであることを前提条件としている。図中には、比較のために、入射側偏光板、出射側偏光板、第１、第２の視野角補償板のそれぞれの基板にサファイア基板を用いた場合の特性曲線も併記してある。サファイア基板を用いる視野角補償板の場合は該サファイア基板が複屈折性を有するため、該サファイア基板の光学軸が近接する偏光板に対して傾くと、該傾き量に対し大きな割合でコントラストが低下する。これに対し、酸化マグネシウム基板の場合は、立方晶構造であるために上記不具合は生じない。サファイア基板の場合に比べ、いずれのずれ量位置でもコントラストレベルが大幅に高い。また、酸化マグネシウム基板は、板厚が約０．３×１０−３ｍ〜約２．０×１０−３ｍの範囲であれば、製造時のばらつきで生じる位相差の影響も実用上は無視することができる。このため、視野角補償フィルム５０ａ、６０ａの光学軸のうちの一方を液晶パネル２０のラビング方向と所定範囲内で一致させるように角度調整することで、コントラストの改善を図ることができる。
【００２８】
図５において、シミュレーション結果から、略直交する視野角補償フィルム５０ａ、６０ａの光学軸のうちの一方を液晶パネル２０のラビング方向と一致させた場合（＝視野角補償フィルムの調整角度が１°の場合）に、映像のコントラストが最大となり、コントラストは約１０００：１となる。上記光学軸のずれが該最大点位置から約±１°の範囲内であれば、コントラストは約８００：１以上となる。
【００２９】
上記図４に示す入射側偏光板４、出射側偏光板５、第１の視野角補償板５０及び第２の視野角補償板６０を、上記図２の投射型映像表示装置における入射側偏光板４Ｒ及び出射側偏光板５Ｒ、入射側偏光板４Ｇ及び出射側偏光板５Ｇ、入射側偏光板４Ｂ及び出射側偏光板５Ｂのそれぞれに替えて用いると、偏光板や視野角補償板の温度上昇を抑え、かつ、明るさとコントラストを改善した投射型映像表示装置を構成することができる。本投射型映像表示装置においても、光源ユニット１から投射レンズユニット３までの諸光学要素は、投射型映像表示装置の光学ユニットを構成する。本投射型映像表示装置またはその光学ユニットにおいて、第１の視野角補償板５０、第２の視野角補償板６０は、酸化マグネシウム基板５０ｂ、６０ｂのうちのいずれか一方または両方が取付け状態を調整可能な構成を備え、該取付け状態の調整により、視野角補償フィルム５０ａ、６０ａのいずれか一方または両方の光学軸を、液晶パネル２０のラビング方向に対し所定範囲内のずれ量となるよう調整できるようになっている。
【００３０】
図６は、偏光手段と視野角補償手段の第２の組合わせ構成例を示す図である。本例では、基板両面に視野角補償フィルムを有する１個の視野角補償手段を映像表示素子の出射側に配する。
図６において、５０'は、視野角補償手段としての視野角補償板、５０ａ１、５０ａ２は、光を透過させることで光の位相差を補償するための視野角補償フィルム、５０ｂは、視野角補償板５０'の基板であって、立方晶構造を有する光透過性の基板として、酸化マグネシウムを含んで構成されその両面に設けた視野角補償フィルム５０ａ１、５０ａ２を保持する基板（以下、酸化マグネシウム基板という）である。視野角補償フィルム５０ａ１、５０ａ２は互いにその光学軸が略直交するようにしてあり、少なくとも該両光学軸のうちの一方は、液晶パネル２０のラビング方向に対するずれが、約±１°の範囲内となるようにしてある。上記視野角補償板５０'は、その基板５０ｂの取付け状態を変えることで、上記視野角補償フィルム５０ａ１の光学軸または上記視野角補償フィルム５０ａ２の光学軸の、上記液晶パネル２０のラビング方向に対するずれが所定値となるように調整される。偏光手段としての入射側偏光板４、出射側偏光板５もそれぞれ、偏光フィルム４ａ、５ａを保持する基板として、酸化マグネシウム基板４ｂ、５ｂを用いている。偏光フィルム４ａと偏光フィルム５ａは互いに、光の透過軸が約９０°ずれるようにしてある。また、入射側偏光板４と液晶パネル２０、該液晶パネル２０と視野角補償板５０'、該視野角補償板５０'と出射側偏光板５は、相互に所定の空隙を隔てて配される。
【００３１】
上記構成において、Ｐ偏光光またはＳ偏光光の入射偏光光２１は、入射側偏光板４の酸化マグネシウム基板４ｂを通過し、偏光フィルム４ａに入射する。偏光フィルム４ａは、色光の偏光光のうち所定の偏光方向のものを通過させる。偏光フィルム４ａからの偏光光は、液晶パネル２０に照射される。液晶パネル２０では、該照射された偏光光が映像信号に基づき光変調する。該光変調された偏光光は、視野角補償板５０'に入射し、視野角補償フィルム５０ａ１で光の位相差を補償された後、酸化マグネシウム基板５０ｂを通過する。偏光光はさらに、視野角補償フィルム５０ａ２に入射し、ここで光の位相差を補償された後、出射側偏光板５に入射する。出射側偏光板５では、偏光フィルム５ａが偏光光のうちの所定の偏光方向のものを通過させ、さらに、酸化マグネシウム基板５ｂを通過させる。本構成においても、偏光フィルム４ａはＸ−Ｘ'方向を透過軸とし、偏光フィルム５ａはＸ−Ｘ'方向に直角な方向を透過軸としている。
【００３２】
図６の構成においても、酸化マグネシウム基板４ｂ、５ｂ、５０ｂはそれぞれ立方晶構造を有するため、明るくコントラストの高い映像が得られる。特に、視野角補償フィルム５０ａ１、５０ａ２は、コントラストレベルを大幅に向上させる。また、酸化マグネシウム基板４ｂ、５ｂ、５０ｂは、偏光フィルム４ａ、５ａ及び視野角補償フィルム５０ａ１、５０ａ２の透過軸（吸収軸）の方向に対しても方向性はないため、該偏光フィルム４ａ、５ａ及び該視野角補償フィルム５０ａ１、５０ａ２の透過軸（吸収軸）に対する方向合わせが不要となる。また、該酸化マグネシウム基板４ｂ、５ｂ、５０ｂは、それぞれの熱伝導性により、入射側偏光板４、出射側偏光板５、視野角補償板５０'の熱を放熱し温度上昇を抑える。酸化マグネシウム基板４ｂ、５ｂ、５０ｂの板厚はそれぞれ、上記図３に示す特性に基づき、約０．４×１０−３ｍ〜１．５×１０−３ｍの範囲としてある。これによって、入射側偏光板４、出射側偏光板５、視野角補償板５０'のそれぞれの温度上昇を抑え、かつコントラストを確保できるようにしてある。
【００３３】
上記図６に示す入射側偏光板４、出射側偏光板５、視野角補償板５０'を、上記図２の投射型映像表示装置における入射側偏光板４Ｒ及び出射側偏光板５Ｒ、入射側偏光板４Ｇ及び出射側偏光板５Ｇ、入射側偏光板４Ｂ及び出射側偏光板５Ｂのそれぞれに替えて用いると、偏光板や視野角補償板の温度上昇を抑え、かつ、明るさとコントラストを改善した投射型映像表示装置を構成することができる。本投射型映像表示装置においても、光源ユニット１から投射レンズユニット３までの諸光学要素は、投射型映像表示装置の光学ユニットを構成する。本投射型映像表示装置またはその光学ユニットにおいて、視野角補償板５０'は、酸化マグネシウム基板５０ｂが該視野角補償板５０'の取付け状態を調整できる構成を備え、該調整により、視野角補償フィルム５０ａ１、５０ａ２のいずれか一方または両方の光学軸を、液晶パネル２０のラビング方向に対し所定範囲内のずれ量となるよう調整できるようになっている。
【００３４】
図７は、偏光手段と視野角補償手段の第３の組合わせ構成例を示す図である。本例では、基板片面に視野角補償フィルムを有する２個の視野角補償手段を映像表示素子の入射側と出射側と分けて配する。
図７において、５０は、映像表示素子の入射側に配される視野角補償手段としての第１の視野角補償板、６０は、映像表示素子の出射側に配される視野角補償手段としての第２の視野角補償板である。視野角補償フィルム５０ａ、６０ａは互いにその光学軸が略直交するようにしてあり、少なくとも該両光学軸のうちの一方は、液晶パネル２０のラビング方向に対するずれが、約±１°の範囲内となるようにしてある。上記第１の視野角補償板５０または第２の視野角補償板６０は、立方晶構造を有する光透過性の基板としての酸化マグネシウム基板５０ｂまたは同じく立方晶構造を有する光透過性の基板としての酸化マグネシウム基板６０ｂの取付け状態を変えることで、上記視野角補償フィルム５０ａの光学軸または上記視野角補償フィルム６０ａの光学軸の、上記液晶パネル２０のラビング方向に対するずれが所定値となるように調整される。第１の視野角補償板５０、第２の視野角補償板６０ともそれぞれ、視野角補償フィルム５０ａ、６０ａを、酸化マグネシウム基板５０ｂ、６０ｂに対し液晶パネル２０側に配する。偏光手段としての入射側偏光板４、出射側偏光板５もそれぞれ、偏光フィルム４ａ、５ａを、酸化マグネシウム基板４ｂ、５ｂに対し液晶パネル２０側に配する。偏光フィルム４ａと偏光フィルム５ａは互いに、光の透過軸が約９０°ずれるようにしてある。入射側偏光板４と第１の視野角補償板５０、該第１の視野角補償板５０と液晶パネル２０、該液晶パネル２０と第２の視野角補償板６０、該第２の視野角補償板６０と出射側偏光板５は、相互に所定の空隙を隔てて配される。
【００３５】
上記構成において、Ｐ偏光光またはＳ偏光光の入射偏光光２１は、入射側偏光板４の酸化マグネシウム基板４ｂを通過し、偏光フィルム４ａに入射し、該偏光フィルム４ａで、色光の偏光光のうち所定の偏光方向のものにされる。偏光板４からの偏光光は、第１の視野角補償板５０に入射し、酸化マグネシウム基板５０ｂを通過後、視野角補償フィルム５０ａで光の位相差を補償される。その後、偏光光は液晶パネル２０に照射され、映像信号に基づき光変調される。該光変調された偏光光は、第２の視野角補償板６０に入射し、視野角補償フィルム６０ａで光の位相差を補償され、酸化マグネシウム基板６０ｂを通過する。第２の視野角補償板６０から出た偏光光は、出射側偏光板５に入射し、該出射側偏光板５では、偏光フィルム５ａにより偏光光のうちの所定の偏光方向のものが通過選択され、さらに、酸化マグネシウム基板５ｂを通って、色合成手段等光学系の次段側に入射する。本構成においても、偏光フィルム４ａはＸ−Ｘ'方向を透過軸とし、偏光フィルム５ａはＸ−Ｘ'方向に直角な方向を透過軸としている。
【００３６】
図７の構成においても、酸化マグネシウム基板４ｂ、５ｂ、５０ｂはそれぞれ立方晶構造を有するため、明るくコントラストの高い映像が得られる。特に、視野角補償フィルム５０ａ、６０ａは、コントラストレベルを大幅に向上させる。また、酸化マグネシウム基板４ｂ、５ｂ、５０ｂは、偏光フィルム４ａ、５ａ及び視野角補償フィルム５０ａ、６０ａの透過軸（吸収軸）の方向に対しても方向性はないため、該偏光フィルム４ａ、５ａ及び該視野角補償フィルム５０ａ、６０ａの透過軸（吸収軸）に対する方向合わせが不要となる。また、該酸化マグネシウム基板４ｂ、５ｂ、５０ｂは、それぞれの熱伝導性により、入射側偏光板４、出射側偏光板５、第１の視野角補償板５０、第２の視野角補償板６０の熱を放熱し温度上昇を抑える。酸化マグネシウム基板４ｂ、５ｂ、５０ｂの板厚はそれぞれ、上記図３に示す特性に基づき、約０．４×１０−３ｍ〜１．５×１０−３ｍの範囲としてある。これによって、入射側偏光板４、出射側偏光板５、第１の視野角補償板５０、第２の視野角補償板６０それぞれの温度上昇を抑え、かつコントラストを確保することができるようにしてある。
【００３７】
上記図７に示す入射側偏光板４、出射側偏光板５、第１の視野角補償板５０、第２の視野角補償板６０を、上記図２の投射型映像表示装置における入射側偏光板４Ｒ及び出射側偏光板５Ｒ、入射側偏光板４Ｇ及び出射側偏光板５Ｇ、入射側偏光板４Ｂ及び出射側偏光板５Ｂのそれぞれに替えて用いると、偏光板や視野角補償板の温度上昇を抑え、かつ、明るさとコントラストを改善した投射型映像表示装置を構成することができる。本投射型映像表示装置においても、光源ユニット１から投射レンズユニット３までの諸光学要素は、投射型映像表示装置の光学ユニットを構成する。本投射型映像表示装置またはその光学ユニットにおいて、第１の視野角補償板５０、第２の視野角補償板６０のいずれか一方または両方は、酸化マグネシウム基板５０ｂ、６０ｂのいずれか一方または両方が該第１の視野角補償板５０、第２の視野角補償板６０のいずれか一方または両方の取付け状態を調整できる構成を備え、該調整により、視野角補償フィルム５０ａ、６０ａのいずれか一方または両方の光学軸を、液晶パネル２０のラビング方向に対し所定範囲内のずれ量となるよう調整できるようになっている。
【００３８】
上記図４〜図７で述べた本発明の第２の実施形態によれば、コントラストの確保と併せ、入射側偏光板４、出射側偏光板５、視野角補償板５０、５０'、６０の温度上昇を抑えられる。特に、視野角補償板５０、５０'、６０を用いているため、コントラストの大幅改善が可能となる。また、入射側偏光板４、出射側偏光板５はそれぞれ、酸化マグネシウム基板４ｂ、５ｂを用いているため、該酸化マグネシウム基板４ｂ、５ｂの、偏光フィルム４ａ、５ａの透過軸（吸収軸）に対する方向合わせが不要となり、各偏光板の製作作業性を大幅に改善することができ、コスト低減も可能となる。また、視野角補償板５０、５０'、６０においてもそれぞれ、酸化マグネシウム基板５０ｂ、６０ｂを用いているため、該酸化マグネシウム基板５０ｂ、６０ｂの、偏光フィルム５０ａ、５０ａ１、５０ａ２、６０ａの透過軸（吸収軸）に対する方向合わせが不要となり、各視野角補償板の製作及び光学系への組込みの作業性を大幅に改善することができ、コスト低減も可能となる。
【００３９】
なお、上記各実施形態では、投射型映像表示装置として、映像表示素子としての液晶パネルを３個用いるものにつき説明したが、本発明はこれには限定されず、例えば液晶パネル等の映像表示素子を１個用いる構成のものであってもよい。また、偏光手段としては、偏光フィルムと酸化マグネシウム基板とが離れて配される構成のものであってもよい。さらに、偏光手段や視野角補償手段の基板としては、酸化マグネシウム基板に限らず、立方晶構造を有し、熱伝導率が良好な他の光透過性の材料を用いることも可能である。
【図面の簡単な説明】
【００４０】
【図１】第１の実施形態における偏光手段の構成例図である。
【図２】図１の偏光手段を用いた投射型映像表示装置の構成例図である。
【図３】偏光手段の基板厚に対するコントラスト、温度の特性例図である。
【図４】第２の実施形態における偏光手段と視野角補償手段の第１の組合わせ構成例を示す図である。
【図５】視野角補償フィルムの光学軸ずれ量に対するコントラストの特性例図である。
【図６】第２の実施形態における偏光手段と視野角補償手段の第２の組合わせ構成例を示す図である。
【図７】第２の実施形態における偏光手段と視野角補償手段の第３の組合わせ構成例を示す図である。
【符号の説明】
【００４１】
１…光源ユニット、
３…投射レンズユニット、
４、４Ｒ、４Ｇ、４Ｂ…入射側偏光板、
５、５Ｒ、５Ｇ、５Ｂ…出射側偏光板、
４ａ、５ａ…偏光フィルム、
４ｂ、５ｂ、５０ｂ、６０ｂ…酸化マグネシウム基板、
６…第１のアレイレンズ、
７…第２のアレイレンズ、
８…偏光変換素子、
９…集光レンズ、
１２、１３…ダイクロイックミラー、
１０Ｒ、１０Ｇ、１０Ｂ…コンデンサレンズ、
１１…ダイクロイックプリズム、
１４、１５、１６…反射ミラー、
１７、１８…リレーレンズ、
１９…スクリーン、
２０…液晶パネル、
２０Ｒ、２０Ｇ、２０Ｂ…透過型液晶パネル、
２６…冷却用ファン、
２７…冷却用空気の流路、
５０…第１の視野角補償板、
５０'…視野角補償板、
５０ａ、６０ａ、５０ａ１、５０ａ２…視野角補償フィルム、
６０…第２の視野角補償板。
【図１】
2005250061.tif 000003
【図２】
2005250061.tif 000004
【図３】
2005250061.tif 000005
【図４】
2005250061.tif 000006
【図５】
2005250061.tif 000007
【図６】
2005250061.tif 000008
【図７】
2005250061.tif 000009